(57)【要約】【課題】  グラスに注いだ場合も直に飲む場合も、飲みやすくかつおいしく飲める発泡性飲料の容器の構造を提供する。【解決手段】  ビール容器１内に炭７を収納する炭容器６を設け、この炭容器６を支持部９と内蓋１０で密閉する。内蓋１０には連結棒１２の一端が固定され、連結棒１２の他端には突起部１３が形成されている。外蓋４は開閉可能に設けられ、外蓋４の下部には突出部１４が形成されている。そして突出部１４内に連結棒の突起部１３が入り込むように構成されている。外蓋４を外して上方に引き上げると、連結棒１２により内蓋１０が引き上げられて密閉が解除され、ビール２と炭７が反応する。【選択図】  図１
2006103702.tif 000002
【特許請求の範囲】
【請求項１】
発泡性飲料を収容する発泡性飲料用容器の構造において、
前記発泡性飲料用容器内に炭部材を収納し、
前記炭部材を密閉するための第１の蓋体と、
前記発泡性飲料用容器を密閉する第２の蓋体と、
前記第１の蓋体および第２の蓋体を連結する連結部材とを設け、
前記第２の蓋体を移動することにより前記連結部材を介して第１の蓋体を移動させて炭部材の密閉状態を解除し、発泡性飲料と炭部材を反応させることを特徴とする発泡性飲料用容器の構造。
【請求項２】
前記発泡性飲料用容器内に固定され、前記炭部材を収納する炭容器を設け、前記第１の蓋体は該炭容器を密閉する請求項１記載の発泡性飲料用容器の構造。
【請求項３】
前記炭部材は備長炭である請求項１記載の発泡性飲料用容器の構造。
【請求項４】
前記炭部材は竹炭である請求項１記載の発泡性飲料用容器の構造。
【発明の詳細な説明】
【技術分野】
【０００１】
本発明は、ビールや発泡酒等の発泡性飲料を収容する容器の構造に関するものである。
【背景技術】
【０００２】
従来、発泡性飲料としてのビールを飲む場合は、通常、缶または壜からコップにビールを注いで飲むようにしている。この際、注がれたビールの表面には泡の層が形成される。この泡の層の厚さが薄すぎると、ビールがおいしくないと一般に考えられている。缶からコップにビールを注ぐ際に泡立ちをよくする従来技術として、例えば、特開２００４−１８７１号公報に開示されるものがある。
【０００３】
上記公報に開示される技術は、缶の蓋体の開口部の周辺に多数の突起または凹部から成る粗面部を形成し、開口部からビールを注ぐとき粗面部の作用によりビールの泡立ちを促進させるようにしたものである。
【特許文献１】特開２００４−１８７１号公報
【発明の開示】
【発明が解決しようとする課題】
【０００４】
しかしながら上記公報に開示される従来の技術においては、発泡性飲料としてのビールを蓋体の開口部からグラスに注出することにより、グラスの中におけるビールの泡立ちを良好にしたものであり、グラスに注がずに缶から直に飲む場合にはグラスに注いだ場合ほど大きな効果は期待できない。
【０００５】
本発明は上記課題に鑑みてなされたものであり、グラスに注いだ場合も直に飲む場合も、飲みやすくかつおいしく飲める発泡性飲料の容器の構造を提供することを目的とする。
【課題を解決するための手段】
【０００６】
上記課題を解決するために、本発明は、発泡性飲料を収容する発泡性飲料用容器の構造において、前記発泡性飲料用容器内に炭部材を収納し、前記炭部材を密閉するための第１の蓋体と、前記発泡性飲料用容器を密閉する第２の蓋体と、前記第１の蓋体および第２の蓋体を連結する連結部材とを設け、前記第２の蓋体を移動することにより前記連結部材を介して第１の蓋体を移動させて炭部材の密閉状態を解除し、発泡性飲料と炭部材を反応させることを特徴とするものである。
【発明の効果】
【０００７】
上記構成の本発明によれば、飲む直前に、発泡性飲料用容器の中で発泡性飲料と炭部材とを反応させるので、発泡性飲料をグラスに注いでもあるいは容器から直に飲んでも、発泡性飲料が飲みやすくなる効果を奏する。
【発明を実施するための最良の形態】
【０００８】
以下、本発明を実施するための形態を図面に従って説明する。図１は本発明の実施の形態によるビール容器を示す断面図、図２は本実施の形態によるビール容器を示す外観図である。本実施の形態では、発泡性飲料としてビールを例にして説明する。図１において、ビール容器１にはビール２が収容される。ビール容器１は略円筒状の容器で、側壁１ａと底部１ｂとから構成される。側壁１ａの上部にはネジ部３が形成され、このネジ部３は、外蓋４の側部内面に形成されたネジ部５と噛合い、ビール容器１の内部を密封する。
【０００９】
底部１ｂ上には炭容器６が設けられている。炭容器６の内部には炭（備長炭、竹炭など）７が収納されており、炭容器６自体に複数の孔８が形成されている。炭容器６を囲むようにして支持部９が形成されている。支持部９は略円柱形に形成され、ビール容器１の底部１ｂに固定され、支持部９の上部は内蓋１０により密着した状態で覆われている。内蓋１０は支持部９に対して着脱可能で、内蓋１０の下部の支持部９と接触する部分には、支持部９との密着性を向上させるためのゴムパッキン１１が取付けられている。ビール２は支持部９および内蓋１０の外側に収容され、内側には収容されない。
【００１０】
内蓋１０の上部にはシャフト状の連結棒１２の下端部１２ａが固着されている。連結棒１２の上端部１２ｂには横方向に突起部１３が形成され、この突起部１３を含めた上端部１２ｂは、外蓋４の下部に形成された突出部１４内に入り込んでいる。突出部１４には摺動孔１５が形成され、連結棒１２はこの摺動孔１５に摺動可能に挿嵌されている。突出部１４は外蓋４に固定されており、外蓋４が回転するとこれに伴って回転するが、突出部１４が回転しても連結棒１２は回転しない。
【００１１】
ビール２が内部に収容された状態では、外蓋４がビール容器１に固定され、連結棒１２の突起部１３は突出部１４の底面部１４ａから離れた位置にある。またこの状態では、ビール２は支持部９と内蓋１０により炭容器６から分離されている。
【００１２】
次にビールを飲むときの作用を説明する。図１において、外蓋４を開ける方向に回転すると、外蓋４は矢印Ａ方向、即ち、上方向へ移動する。外蓋４がビール容器１から外れる状態になったとき、連結棒１２の突起部１３が突出部１４の底面部１４ａに当接する。外蓋４を回している段階では突起部１３が突出部１４の底面部１４ａに当接することはない。
【００１３】
外蓋４をさらに上方へ引き上げると、連結棒１２が上方へ引き上げられ、これにより内蓋１０が引き上げられて支持部９から外れる。これにより、ビール２が支持部９の内部へ入り込み、炭容器６の孔８を通して炭７に接触する。ビール２は炭７と接触することにより、ビール２に含まれる二酸化炭素と炭７に閉じ込められた無数の酸素が反応し、ビール２の泡立ちがよくなる。また炭７の浄化作用により、ビール２をおいしく飲むことができるようになる。
【００１４】
なお外蓋４と内蓋１０はビール容器１から完全に取り外すことができる。したがって外蓋４を完全に取り外すことにより、ビール２をビール容器１から直に飲む場合には飲みやすくなる。また、炭７は炭容器６により保持されているので、ビール２を飲む際にビール容器１を傾けてもビール容器１から外部へ出ることはない。
【００１５】
炭部材として備長炭を使用することにより、ビール２と接触すると同時にビール２を泡立てることができる。また炭部材として竹炭を使用することにより、泡立ちの量や風味を変化させることができる。
【００１６】
以上のように本実施の形態によれば、外蓋４を開ける際にビール２と炭７を反応させるようにしたので、ビール２をグラスに注いで飲んでも、あるいはビール容器１から直に飲んでも、ビール２をおいしく飲める効果がある。
【図面の簡単な説明】
【００１７】
【図１】本発明の実施の形態によるビール容器を示す断面図である。
【図２】本実施の形態によるビール容器を示す外観図である。
【符号の説明】
【００１８】
１      ビール容器
２      ビール
３、５  ネジ部
４      外蓋
６      炭容器
７      炭
８      孔
９      支持部
１０    内蓋
１１    ゴムパッキン
１２    連結棒
１３    突起部
１４    突出部
１５    摺動孔
【図１】
2006103702.tif 000003
【図２】
2006103702.tif 000004